【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
複数のノードを含むデータ・センター・ネットワーク構造であって、前記データ・センター・ネットワーク構造は、
マルチホストＮＩＣコントローラのサウスバウンド接続によって接続されたノードの第１のセットを各々が含む少なくとも１０のベース・ユニットを含み、前記マルチホストＮＩＣコントローラはサウスバウンドよりも高い全帯域幅のノースバウンドを有し、前記データ・センター・ネットワーク構造はさらに、
前記１０のベース・ユニットを含むスーパー・ユニットを含み、前記ベース・ユニットのそれぞれのマルチホストＮＩＣコントローラがグループ内ネットワークとして修正ピーターセン・グラフ形に接続されることによって、前記スーパー・ユニットの前記１０のベース・ユニットは、前記１０のベース・ユニットのうちの３つを各々が含む３つのグループを含み、前記マルチホストＮＩＣコントローラの各々は、前記スーパー・ユニットの他の３つのベース・ユニットへの直接接続のために３つのノースバウンド接続を用いるために適合され、前記グループの各々の２つのベース・ユニットは第４のグループ内ノースバウンド接続のそれぞれの１つを介して前記他の２グループの１つに接続され、前記１０のベース・ユニットのうち３ベース・ユニットの前記３グループの１つの一部ではない残りのベース・ユニットは、前記３グループの各々の１つのベース・ユニットへの直接接続のために３つのノースバウンド接続を用いるために適合され、前記マルチホストＮＩＣコントローラはドラゴンフライ・スイッチとして構成される、データ・センター・ネットワーク構造。
【請求項２】
前記１０のベース・ユニットの１つは、前記グループ内ネットワークに対する外部接続として使用されるように適合された１つの付加的なノースバウンド接続を含む、請求項１に記載のデータ・センター・ネットワーク構造。
【請求項３】
物理的に別個のサービス・ネットワークを実現するために、前記マルチホストＮＩＣコントローラの任意の付加的に利用可能なノースバウンド接続が用いられる、請求項２に記載のデータ・センター・ネットワーク構造。
【請求項４】
各ベース・ユニットは少なくとも１つのサーバを含む、請求項１に記載のデータ・センター・ネットワーク構造。
【請求項５】
前記１０のベース・ユニットのうち３ベース・ユニットの前記３グループの１つの一部ではない前記残りのベース・ユニットは、前記ネットワーク構造の外側へまたは外側からの通信のために用いられる第４のノースバウンド接続を含む、請求項１に記載のデータ・センター・ネットワーク構造。
【請求項６】
３ベース・ユニットの前記グループにおける各ベース・ユニットは、前記データ・センター・ネットワーク構造のスーパー・ユニット間のノースバウンド接続を構築する付加的なネットワーク接続として使用可能な付加的な第５のノースバウンドの電気的接続をも含む、請求項１に記載のデータ・センター・ネットワーク構造。
【請求項７】
前記第５のノースバウンド接続は４つのグループ・アウトバウンド接続を可能にし、
前記グループの第１のものの前記３つのグループ・アウトバウンド接続は、前記データ・センター・ネットワーク構造のｘ次元におけるノースバウンド接続に対するものであり、
前記グループの第２のものの前記３つのグループ・アウトバウンド接続は、前記データ・センター・ネットワーク構造のｙ次元におけるノースバウンド接続に対するものであり、
前記グループの第３のものの前記３つのグループ・アウトバウンド接続は、前記データ・センター・ネットワーク構造のｚ次元におけるノースバウンド接続に対するものであり、
前記残りのアウトバウンド接続は、前記データ・センター・ネットワーク構造のより高い次元へのスケーリングに対するものであるか、または前記データ・センター・ネットワーク構造の外側へまたは外側からの通信のために用いられる、請求項６に記載のデータ・センター・ネットワーク構造。
【請求項８】
４つのスーパー・ユニットが、前記データ・センター・ネットワーク構造のｘ次元ユニットを構築するオール・ツー・オール形に接続される、請求項７に記載のデータ・センター・ネットワーク構造。
【請求項９】
４つのｘ次元ユニットが、前記データ・センター・ネットワーク構造のｙ次元グループを構築するオール・ツー・オール形に接続される、請求項８に記載のデータ・センター・ネットワーク構造。
【請求項１０】
１０のｙ次元グループが、前記データ・センター・ネットワーク構造のｚ次元グループを構築するピーターセン・グラフ形によって接続される、請求項９に記載のデータ・センター・ネットワーク構造。
【請求項１１】
５つのｚ次元グループが、前記データ・センター・ネットワーク構造のＰＯＤを構築するオール・ツー・オール形に接続される、請求項１０に記載のデータ・センター・ネットワーク構造。
【請求項１２】
前記１０のベース・ユニットのうち３ベース・ユニットの前記３グループの１つの一部ではない前記残りのベース・ユニットは、前記データ・センター・ネットワーク構造のより高い次元にスケーリングするために用いられるか、または前記データ・センター・ネットワーク構造の外側へまたは外側からの通信のために用いられる第５のノースバウンド接続を含む、請求項６に記載のデータ・センター・ネットワーク構造。
【請求項１３】
データ・センター・ネットワーク構造における複数のノードをネットワーク化するための方法であって、前記方法は、
マルチホストＮＩＣコントローラのサウスバウンド接続に接続されたノードの第１のセットを各々が含む少なくとも１０のベース・ユニットを接続するステップであって、前記マルチホストＮＩＣコントローラはサウスバウンドよりも高い全帯域幅のノースバウンドを有する、ステップと、
前記１０のベース・ユニットをそれぞれのマルチホストＮＩＣコントローラによってグループ内ネットワークとして修正ピーターセン・グラフ形に接続してスーパー・ユニットを構築することによって、前記スーパー・ユニットの前記１０のベース・ユニットは、前記１０のベース・ユニットのうちの３つを含む３つのグループを含み、前記マルチホストＮＩＣコントローラの各々は、前記スーパー・ユニットの他の３つのベース・ユニットへの直接接続のために３つのノースバウンド接続を用い、前記グループの各々の２つのベース・ユニットは第４のノースバウンド接続のそれぞれの１つを介して３ベース・ユニットの前記他の２グループの１つに接続され、前記１０のベース・ユニットのうち３ベース・ユニットの前記３グループの１つの一部ではない残りのベース・ユニットは、前記３グループの各々の１つのベース・ユニットへの直接接続のために３つのノースバウンド接続を用いるために適合されるようにするステップとを含み、前記マルチホストＮＩＣコントローラはドラゴンフライ・スイッチとして構成される、方法。
【請求項１４】
前記ベース・ユニットの１つは、前記グループ内ネットワークに対する外部接続として使用されるように適合された１つの付加的なノースバウンド接続を含む、請求項１３に記載の方法。
【請求項１５】
物理的に別個のサービス・ネットワークを実現するために、前記マルチホストＮＩＣコントローラの任意の付加的に利用可能なノースバウンド接続が用いられる、請求項１４に記載の方法。
【請求項１６】
各ベース・ユニットは少なくとも１つのサーバを含む、請求項１３に記載の方法。
【請求項１７】
前記１０のベース・ユニットのうち３ベース・ユニットの前記グループの１つの一部ではない前記残りのベース・ユニットは、前記ネットワーク構造の外側へまたは外側からの通信のために用いられる第４のノースバウンド接続を含む、請求項１３に記載の方法。
【請求項１８】
３ベース・ユニットの前記３グループの各々における各ベース・ユニットは、少なくとも１つの第５のノースバウンド接続を含むことによって、前記３グループの各々が３つのグループ・アウトバウンド接続を可能にし、
前記グループの第１のものの前記３つのグループ・アウトバウンド接続は、前記データ・センター・ネットワーク構造のｘ次元におけるノースバウンド接続に対するものであり、
前記グループの第２のものの前記３つのグループ・アウトバウンド接続は、前記データ・センター・ネットワーク構造のｙ次元におけるノースバウンド接続に対するものであり、
前記グループの第３のものの前記３つのグループ・アウトバウンド接続は、前記データ・センター・ネットワーク構造のｚ次元におけるノースバウンド接続に対するものであり、
前記残りのアウトバウンド接続は、前記データ・センター・ネットワーク構造のより高い次元へのスケーリングに対するものであるか、または前記データ・センター・ネットワーク構造の外側へまたは外側からの通信のために用いられる、請求項１３に記載の方法。
【請求項１９】
４つのスーパー・ユニットが、前記データ・センター・ネットワーク構造のｘ次元ユニットを構築するオール・ツー・オール形に接続される、請求項１８に記載の方法。
【請求項２０】
４つのｘ次元ユニットが、前記データ・センター・ネットワーク構造のｙ次元グループを構築するオール・ツー・オール形に接続される、請求項１９に記載の方法。
【請求項２１】
１０のｙ次元グループが、前記データ・センター・ネットワーク構造のｚ次元グループを構築するピーターセン・グラフ形によって接続される、請求項２０に記載の方法。
【請求項２２】
５つのｚ次元グループが、前記データ・センター・ネットワーク構造のＰＯＤを構築するオール・ツー・オール形に接続される、請求項２１に記載の方法。
【請求項２３】
コンピュータ・プログラムであって、請求項１３ないし２２のいずれか１項に記載の方法の各ステップをコンピュータに実行させるための、コンピュータ・プログラム。